(57)【特許請求の範囲】
【請求項１】
釣竿１０の道糸３０に固定する枝ス仕掛け２０において、
前記枝ス仕掛け２０は、道糸巻き部材２１及び前記道糸巻き部材２１の両端部から延びる側面部材２２、２３を含み、
前記道糸巻き部材２１は、道糸が巻かれる道糸平行部材２１ａ及び前記巻かれた道糸の離脱を防止する離脱防止部材２１ｂ、２１ｃからなり、
前記道糸平行部材２１ａは、釣竿にぶら下げられた道糸３０と平行な方向に延長されると共に、中間部分で途切れた形態に分けられ、
前記離脱防止部材２１ｂは、２つ備わり、それぞれ、前記途切れた道糸平行部材２１ａの各端部に連結されると共に、前記道糸平行部材２１ａと略垂直方向に延び、
前記離脱防止部材２１ｃは、前記２本の離脱防止部材２１ｂの各端部に連結されることによって、
前記道糸平行部材２１ａ及び前記離脱防止部材２１ｂ、２１ｃが一体化し、
かつ、
前記道糸平行部材２１ａの途切れた長さが、前記離脱防止部材２１ｃの長さより短くて、前記道糸平行部材２１ａの途切れた部分と、前記離脱防止部材２１ｃと、２つの前記離脱防止部材２１ｂとによって台形状を成し、
ａ）前記道糸３０を前記道糸巻き部材２１と前記側面部材２２、２３との間に挿入し、ｂ）前記挿入された道糸３０の中央部分３０ａを前記道糸平行部材２１ａの外側に出し、ｃ）前記道糸３０の中央部分３０ａが、前記離脱防止部材２１ｂ、２１ｃを回って前記道糸平行部材２１ａの外部に出るように、前記道糸３０を前記道糸平行部材２１ａに巻き、ｄ）前記ｃの工程を繰り返して、前記道糸３０を前記道糸平行部材２１ａに複数回巻き、ｅ）前記道糸平行部材２１ａに巻かれた前記道糸３０の両端を引っ張って前記道糸を伸ばすことによって、
前記道糸巻き部材２１の離脱防止部材２１ｂ、２１ｃは、道糸巻き部材２１に巻かれた道糸３０の離脱を防止可能であり、
更に、
前記側面部材２２、２３の端部は、一点２６で合流して前記道糸巻き部材２１とで三角形状を成し、
前記一点２６に中間部材２４の一端が連結され、前記中間部材２４の他端にはスイベル装置が連結される
ことを特徴とする枝ス仕掛け２０。
【発明の詳細な説明】
【技術分野】
【０００１】
本発明は、枝ス仕掛け及び枝ス仕掛けを釣竿の道糸に連結する方法に関する。
【背景技術】
【０００２】
本発明は、釣りに関し、枝ス仕掛けにおいて、道糸に１つ以上の枝スなどの釣り糸（以下、「枝ス」とする）を連結するための枝ス仕掛けに関する。
一般に、枝ス仕掛けは釣竿に連結される道糸にスイベル（サルカン）、数個の釣り針、ガン玉（錘）などが連結、結合されて構成される。このような枝ス仕掛けは、必要に応じて釣り針が結合された枝スなどの釣り糸を１つ以上連結して使用する。
このような枝ス仕掛けにおいて、従来は道糸に枝スなどの釣り糸を連結するためにこれらを相互結び付けて連結することで、その作業が厄介で、効率が低いという問題があった。
また、ユーザが釣りを終えた後、道糸から釣り糸（枝ス）を解体する場合、一つ一つ手作業でこれらの結び目を解かなければならず、厄介な作業を要し、使用が不便であるなどの多くの短所を有する。
【０００３】
特許文献１〜２に枝ス仕掛けが開示されているが、これらの先行技術文献も枝ス仕掛けを道糸に連結するときの厄介な問題は解決できていない。
【先行技術文献】
【特許文献】
【０００４】
【特許文献１】韓国特許公開第２０１２−００５７８２１号「流動性を有する枝ス連結用枝ス仕掛け」
【特許文献２】韓国実用新案登録第２０−０２９１０４３号「淡水釣り用枝型枝ス仕掛け」
【発明の概要】
【発明が解決しようとする課題】
【０００５】
本発明は、従来枝ス仕掛けを道糸に連結するときの厄介さを解消し、容易に脱着できるようにすることを課題とする。
【課題を解決するための手段】
【０００６】
本発明の枝ス仕掛けは、釣竿１０の道糸３０に固定する枝ス仕掛け２０において、前記枝ス仕掛け２０は、道糸巻き部材２１及び前記道糸巻き部材２１の両端部から延びる側面部材２２、２３を含み、前記道糸巻き部材２１は道糸平行部材２１ａ及び離脱防止部材２１ｂ、２１ｃからなり、道糸巻き部材２１の離脱防止部材２１ｂ、２１ｃは道糸巻き部材２１に巻かれた道糸３０の離脱を防止することを特徴とする。
【０００７】
ここで、本発明の道糸平行部材２１ａは、釣竿にぶら下げられた道糸３０と平行な方向に延長され、離脱防止部材２１ｂ、２１ｃは前記道糸３０と垂直方向で道糸平行部材２１ａに連結されている。前記離脱防止部材２１ｂ、２１ｃは道糸平行部材２１ａに連結され、道糸平行部材２１ａとともに区切られた円形または多角形状を成し得る。
また、本発明の道糸平行部材２１ａは、中間部分で途切れた形態で分けられ、前記離脱防止部材２１ｂ、２１ｃは前記途切れたそれぞれの道糸平行部材２１ａの端部に連結され得る。
また、本発明の前記離脱防止部材２１ｂ、２１ｃは、側面部材２１ｂ及び上辺部材２１ｃからなり、道糸平行部材２１ａとともに台形状を成す。前記上辺部材２１ｃは、下辺を成す道糸平行部材２１ａまたは道糸平行部材２１ａの途切れた部分より大きく形成され得る。
また、前記側面部材２２、２３の端部は一点２６で合流し、前記道糸巻き部材２１と共に三角形状を成す。前記一点２６に中間部材２４の一端が連結され、前記中間部材２４の他端にはスイベル装置が連結され得る。
【０００８】
また、本発明の道糸を枝ス仕掛けに連結する方法は、釣竿の道糸３０を枝ス仕掛け２０に連結する方法において、ａ）枝ス仕掛け２０は道糸が巻かれる道糸巻き部材２１及び前記道糸巻き部材２１の両端部から延びる側面部材２２、２３からなり、前記道糸を道糸巻き部材２１と側面部材２２、２３との間に挿入する段階；ｂ）前記道糸巻き部材２１は道糸平行部材２１ａ及び離脱防止部材２１ｂ、２１ｃからなり、前記挿入された道糸３０の中央部分３０ａを道糸平行部材２１ａの外側に出す段階；ｃ）道糸３０の中央部分３０ａが前記離脱防止部材２１ｂ、２１ｃを回って道糸平行部材２１ａの外部に出るように、道糸３０を道糸平行部材２１ａに巻く段階；ｄ）前記道糸平行部材２１ａに巻かれた道糸の両端を引っ張って道糸を伸ばす段階；を含む釣竿の道糸３０を枝ス仕掛け２０に連結する。
【０００９】
ここで、前記ｃ段階を繰り返し、道糸３０を道糸平行部材２１ａに複数回巻くことができる。
【発明の効果】
【００１０】
本発明の枝ス仕掛けは、道糸に脱着し易く、道糸のみで釣りしている途中、枝ス仕掛けが必要となると直ちに取り付けることができ、用途に合わせて他の大きさの枝ス仕掛けに容易に入れ替ることができ、従来の製品のように道糸を切ってから連結する必要がなく、道糸の損傷がない。
また、従来の製品と違って、道糸が折り曲げられることによる損傷がなくて張力が低下する問題がなく、道糸内で上下への位置変更時、巻かれた道糸を緩めて移動することができるため、道糸の損傷なく容易に移動させることができる。
【図面の簡単な説明】
【００１１】
【図１】本発明の枝ス仕掛けが適用される釣り具の概路説明図
【図２】本発明の枝ス仕掛けの平面説明図
【図３】本発明の枝ス仕掛けが道糸に巻かれる方法を示した手順の説明図
【図４】本発明の枝ス仕掛けが道糸に巻かれる方法を示した手順の説明図
【図５】本発明の枝ス仕掛けが道糸に巻かれる方法を示した手順の説明図
【図６】本発明の枝ス仕掛けが道糸に巻かれる方法を示した手順の説明図
【図７】本発明の枝ス仕掛けが道糸に巻かれる方法を示した手順の説明図
【図８】本発明の枝ス仕掛けが道糸に巻かれる方法を示した手順の説明図
【発明を実施するための形態】
【００１２】
図１は、本発明の枝ス仕掛けが適用される釣り具を示した概略図である。
釣り具は、釣竿１０の一端に道糸３０がぶら下げられ、道糸３０の中間には本発明の枝ス仕掛け２０が取り付けられ、道糸３０の他端に錘４０が取り付けられる。道糸３０の端部に取り付けられた錘４０にはハリス６０ａが連結され、ハリスの他端に針５０ａが取り付けられる。
【００１３】
また、前記枝ス仕掛け２０の一端にはスイベル装置２５（図２）が取り付けられ、スイベル装置２５にはハリス６０ｂが連結され、ハリス６０ｂの他端には針５０ｂが取り付けられる。
このように、本発明が適用される枝ス仕掛け２０は、釣竿の道糸に連結された錘４０と針５０ａの外に別の針５０ｂをさらに取り付け、１つの釣竿に数個の錘と針を設けるために釣竿の道糸に取り付けるものである。
図１には、釣竿に錘４０と針５０ａ、５０ｂが１つ設けられていることが示されているが、枝ス仕掛け２０をさらに設ければ、２つ以上の錘と針を取り付けることができる。
【００１４】
図２は、本発明の枝ス仕掛け２０を示した詳細図である。
本発明の枝ス仕掛け２０は、道糸３０が巻かれる道糸巻き部材２１、及び前記道糸巻き部材２１の両端部からそれぞれ延びる側面部材２２、２３からなる。
図２に示されたそれぞれの側面部材２２、２３は端部で合流し、前記道糸巻き部材２１と共に三角形状を成しているが、側面部材を変形することで、道糸巻き部材２１と側面部材とが半円型、四角形または五角形のような変形された密閉形状を成すこともできる。
【００１５】
図２に示された側面部材２２、２３が合流する点２６には中間部材２４が連結され、中間部材２４の一端にはスイベル装置２５が取り付けられ、スイベル装置２５には図１のハリス６０ｂが連結される。
図２では、道糸巻き部材２１と側面部材２２、２３とが三角形を成し、１つの点２６から中間部材２４が延びているが、半円型、四角形または五角形を成す場合は、１つの点２６ではなく、半円型の曲線面、四角形の一辺、五角形の一辺の中心から中間部材２４が延びることもできる。
【００１６】
前記道糸巻き部材２１は、道糸が巻かれる道糸平行部材２１ａ、及び巻かれた道糸が前記道糸巻き部材２１から離脱することを防止する離脱防止部材２１ｂ、２１ｃからなる。
図２の離脱防止部材２１ｂ、２１ｃは台形状を成す。前記台形状の上辺を成す上辺部材２１ｃの両端部に側面部材２１ｂが連結され、側面部材２１ｂのそれぞれの端部は道糸平行部材２１ａの端部に連結される。
図２に示された道糸巻き部材２１において、道糸平行部材２１ａは途切れた形態の２つが両方に形成され、途切れた長さは上辺部材２１ｃの長さより短い。
【００１７】
図３ないし８は、道糸３０を本発明の枝ス仕掛け２０に巻く方法を示している。
図３によれば、第１側面部材２２と道糸巻き部材２１との間及び第２側面部材２３と道糸巻き部材２１との間に道糸３０を挿入した後、挿入された道糸３０の中央部分３０ａを道糸平行部材２１ａの外側に出す。
【００１８】
図４は図３に続く動作であって、外側に出した道糸３０の中央部分３０ａを、上辺部材２１ｃに回して図５のように道糸平行部材２１ａの外側に出す。
このような動作によって、図５のように、道糸平行部材２１ａに道糸３０が一回巻かれるようになる。
【００１９】
図６及び７は、図４及び５の動作をもう一回行って、道糸平行部材２１ａに道糸３０が総二回巻かれた様子を示した図である。
【００２０】
図８では、道糸平行部材２１ａに巻かれた道糸３０を矢印方向に両方へ引っ張って伸ばす。このようにして、道糸３０が枝ス仕掛け２０に巻かれるようになり、図１に示されたような、枝ス仕掛け２０が道糸３０に取り付けられた状態になる。
【００２１】
このように本発明によれば、道糸を枝ス仕掛け２０に容易に巻くことができ、枝ス仕掛け２０の道糸３０への脱着が容易である。
したがって、道糸３０のみで釣りしている途中、枝ス仕掛け２０が必要となると直ちに取り付けることができ、用途に合わせて他の大きさの枝ス仕掛け２０に容易に入れ替ることができ、従来の製品のように道糸を切ってから連結する必要がなく、道糸の損失がない。
【００２２】
また、従来の製品では、道糸を固定部分（円形ボールなど）に通すとき、道糸が折り曲げられることによって損傷が生じて道糸の張力が低下するという短所があったが、本発明では、このような問題を解決した。また、本発明の道糸内で上下への位置変更時、巻かれた道糸を緩めて移動することができるため、道糸の損傷なく容易に移動させることができる。
また、本発明では、枝ス仕掛け２０の端部に取り付けられたスイベル装置２５がスムーズに回転することで、スイベルが取り付けられた針に釣られた魚の動きによる道糸の絡みを予防することができる。
【００２３】
本発明における釣り部材としては多様な材料を使用することができるが、プラスチック及び金属材質が望ましい。
図２に示された枝ス仕掛け２０の道糸巻き部材２１、第１側面部材２２、及び第２側面部材２３は三角形状を成しているが、これは例示的な形態であって、四角形、五角形など多様な形態に変形することができる。同様に、離脱防止部材２１ｂ、２１ｃは台形状を成しているが、これは例示的な形態であって、巻かれた道糸３０が道糸巻き部材２１から離脱することを防止できれば、多様な形態に変形することができる。
例えば、離脱防止部材２１ｂ、２１ｃは円形または五角形であり得る。
【００２４】
以上、本発明を具体的な構成要素などのような特定事項と限定された実施例及び図面によって説明したが、これは本発明のより全般的な理解を助けるためであって、本発明が実施例によって限定されることはなく、多様に修正及び変形することができる。特許請求の範囲と均等又は等価的変形の全てが本発明の思想の範疇に属する。
【符号の説明】
【００２５】
１０        釣竿
２０        枝ス仕掛け
３０        道糸
４０ａ、４０ｂ        錘
５０ａ、５０ｂ        針
６０ａ、６０ｂ、６０ｃ        ハリス
２１        道糸巻き部材
２２        第１側面部材
２３        第２側面部材
２５        スイベル装置
２１ａ        道糸平行部材
２１ｂ        側面部材
２１ｃ        上辺部材
【要約】
【課題】従来枝ス仕掛けを道糸に連結するときの厄介さを解消し、容易に脱着できるようにすること。
【解決手段】釣竿１０の道糸３０に固定する枝ス仕掛け２０において、前記枝ス仕掛け２０は道糸巻き部材２１及び前記道糸巻き部材２１の両端部から延びる側面部材２２、２３を含み、前記道糸巻き部材２１は道糸平行部材２１ａ及び離脱防止部材２１ｂ、２１ｃからなり、道糸巻き部材２１の離脱防止部材２１ｂ、２１ｃは道糸巻き部材２１に巻かれた道糸３０の離脱を防止する。
【選択図】図１【図１】
0005640222.tif 000002
【図２】
0005640222.tif 000003
【図３】
0005640222.tif 000004
【図４】
0005640222.tif 000005
【図５】
0005640222.tif 000006
【図６】
0005640222.tif 000007
【図７】
0005640222.tif 000008
【図８】
0005640222.tif 000009